(57)【特許請求の範囲】
【請求項１】
電源装置、及び前記電源装置からの電力により点灯される光源を備える光源ユニットと、
厚さ方向の一方側に第１面を有し他方側に第２面を有する板状の底板部を備え、前記底板部の前記第１面を底面とする収容凹部を有し、前記光源ユニットの少なくとも一部を前記収容凹部に収容した状態で前記光源ユニットを保持する器具本体と、
前記底板部の前記第１面に取り付けられており、外部からの電源線が電気的に接続される端子台と、
前記端子台から延びる接続線の先端に設けられており、前記電源装置に電気的に接続されるコネクタと、
を備え、
前記底板部には、外部からの吊りボルトを通すための引き込み孔と、前記電源線を通すための電源孔と、が貫通して設けられており、
前記底板部には、前記引き込み孔と前記電源孔とのうちの少なくとも一方の開口縁に、前記第２面側へ突出する突出部が設けられており、
前記底板部には、さらに、前記突出部と隣接する位置に係合孔が貫通して設けられており、
前記コネクタには、前記係合孔に挿入されて前記コネクタを前記器具本体に仮保持させる係合突部が設けられている
ことを特徴とする照明器具。
【請求項２】
前記突出部は、前記電源孔の開口縁の周りに設けられたブッシングから構成され、
前記係合孔は前記電源孔に隣接して設けられている
ことを特徴とする請求項１記載の照明器具。
【請求項３】
前記コネクタは、前記係合突部として一対の係合突部を有し、
前記底板部は長尺状に形成されており、
前記引き込み孔と前記電源孔とは、前記底板部の長手方向に並んで設けられており、
前記底板部において、前記引き込み孔に対して前記底板部の短手方向の少なくとも一方側には、前記底板部の前記長手方向に長い長孔が形成され、
前記コネクタは、前記一対の係合突部それぞれが前記引き込み孔と前記長孔とに挿入されて前記器具本体に仮保持される
ことを特徴とする請求項２記載の照明器具。
【請求項４】
前記コネクタは、前記係合突部として一対の係合突部を有し、
前記底板部は、前記係合孔として一対の係合孔を有し、
前記一対の係合突部の間隔は、前記一対の係合孔の間隔よりも大きい
ことを特徴とする請求項１又は２記載の照明器具。
【発明の詳細な説明】
【技術分野】
【０００１】
本発明は、一般に照明器具に関し、より詳細には、器具本体と器具本体に取り付けられる光源ユニットとを備えた照明器具に関する。
【背景技術】
【０００２】
特許文献１には、従来の照明器具の一例が開示されている。
【０００３】
特許文献１の照明器具は、天井直付け型の照明器具であって、吊りボルト及びナットを用いて天井材の下面に取り付けられる器具本体と、器具本体に対して着脱自在に取り付けられる光源ユニットと、を備えている。
【０００４】
器具本体には、光源ユニットを収容するための凹部が設けられている。凹部の底壁部には、吊りボルトを通すための孔と、天井材から室内側に引き出された電源ケーブルを通すための孔と、が設けられており、電源ケーブルが接続される端子台が取り付けられている。端子台には電線が接続され、電線の先端にはコネクタが取り付けられている。
【０００５】
光源ユニットは、複数のＬＥＤが設けられた基板を有するＬＥＤモジュールと、ＬＥＤに電力を供給する電源装置と、を備える。電源装置には、端子台からのコネクタが接続される。
【先行技術文献】
【特許文献】
【０００６】
【特許文献１】特開２０１６−４６１０１号公報
【発明の概要】
【発明が解決しようとする課題】
【０００７】
特許文献１の照明器具では、端子台が器具本体に取り付けられ、コネクタが電線を介して端子台に接続されている。このため、器具本体の運搬時や取り付け時などに、コネクタが器具本体に対して揺れ動く可能性がある。特に、器具本体を段ボール箱などに収容して運搬する際にコネクタが動くと、コネクタが器具本体にぶつかってからからと音がし、器具本体などが破損したと誤解されてしまう可能性がある。
【０００８】
これに対し、コネクタや電線を、テープなどで器具本体に仮止めしておくことも考えられる。しかし、その場合には、器具本体の施工時にテープの取り外しや廃棄といった手間が生じてしまう。
【０００９】
本発明の目的は、コネクタを器具本体に仮保持させることができ、仮保持されたコネクタが器具本体から意図せずに外れてしまう可能性の低い照明器具を提供することである。
【課題を解決するための手段】
【００１０】
本発明の一態様に係る照明器具は、光源ユニットと、器具本体と、端子台と、コネクタと、を備える。前記光源ユニットは、電源装置、及び前記電源装置からの電力により点灯される光源を備える。前記器具本体は、厚さ方向の一方側に第１面を有し他方側に第２面を有する板状の底板部を備える。前記器具本体は、前記底板部の前記第１面を底面とする収容凹部を有する。前記器具本体は、前記光源ユニットの少なくとも一部を前記収容凹部に収容した状態で前記光源ユニットを保持する。前記端子台は、前記底板部の前記第１面に取り付けられており、外部からの電源線が電気的に接続される。前記コネクタは、前記端子台から延びる接続線の先端に設けられており、前記電源装置に電気的に接続される。前記底板部には、外部からの吊りボルトを通すための引き込み孔と、前記電源線を通すための電源孔と、が貫通して設けられている。前記底板部には、前記引き込み孔と前記電源孔とのうちの少なくとも一方の開口縁に、前記第２面側へ突出する突出部が設けられている。前記底板部には、さらに、前記突出部と隣接する位置に係合孔が貫通して設けられている。前記コネクタには、前記係合孔に挿入されて前記コネクタを前記器具本体に仮保持させる係合突部が設けられている。
【発明の効果】
【００１１】
本発明の一態様に係る照明器具は、コネクタを器具本体に仮保持させることができ、仮保持されたコネクタが器具本体から意図せずに外れてしまう可能性が低いという効果がある。
【図面の簡単な説明】
【００１２】
【図１】図１は、本発明の実施形態に係る照明器具に用いられる器具本体の正面図である。
【図２】図２Ａ、図２Ｂ、図２Ｃはそれぞれ、同上の器具本体の、コネクタを仮保持した状態での正面図、断面図、背面図である。
【図３】図３は、同上の器具本体のコネクタの斜視図である。
【図４】図４は、同上の照明器具の分解斜視図である。
【図５】図５は、同上の照明器具の斜視図である。
【図６】図６は、同上の変形例に係る照明器具に用いられる器具本体の要部の正面図である。
【発明を実施するための形態】
【００１３】
本発明の実施形態に係る照明器具について、図面を参照して説明する。ただし、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１４】
なお、以下の説明では特に断りがない限り、図４において前後・左右・上下の各方向を規定する。したがって、本実施形態では、器具本体１の長手方向が前後方向、器具本体１の短手方向（幅方向）が左右方向、器具本体１の高さ方向が上下方向となる。ただし、これらの方向は照明器具の取付方向を規定するものではない。
【００１５】
本実施形態の照明器具は、図４に示すように天井直付け型の照明器具である。この照明器具は、吊りボルト２００及びナット２０１を用いて天井材１００の下面に取り付けられる器具本体１と、器具本体１に対して着脱自在に取り付けられる光源ユニット２と、を備える。
【００１６】
器具本体１は、板金に曲げ加工することにより、前後方向に長くかつ上面が開口する扁平な箱形に形成されている。
【００１７】
図４に示すように、器具本体１の上下方向における天井材１００と反対側（下側）には、光源ユニット２を収容するための収容凹部１１が器具本体１の全長に亘って設けられている。収容凹部１１は、前後方向に長い矩形板状に形成された底板部１１１と、底板部１１１の左右方向における両端から下向きに突出する一対の側板部１１２と、で矩形状に形成されている。また、器具本体１の左右方向における収容凹部１１の両側には、収容凹部１１の開口端縁（側板部１１２の下端縁）から延出し、かつ外側ほど上側となるように傾斜する傾斜部１２がそれぞれ設けられている。さらに、器具本体１において、各傾斜部１２の上端縁からは、立壁部１２１が上方に延出している。ここで、図２Ｂ（器具本体１の断面図）に示すように、立壁部１２１は底板部１１１よりも上方まで延出しており、立壁部１２１の端縁（上端縁）は、底板部１１１よりも上方（天井材１００側）に位置している。
【００１８】
図２Ａ、図２Ｂ、図２Ｃに示すように、底板部１１１は、第１面（下面）１１１Ａと第２面（上面）１１１Ｂとを有する板状であり、底板部１１１の第１面１１１Ａが収容凹部１１の底面となっている。なお、図２Ａは器具本体１の正面図、図２Ｂは器具本体１の断面図、図２Ｃは器具本体１の背面図（図２Ａの裏側から見た図）である。
【００１９】
図１に示すように、底板部１１１には、電線を通すための電源孔１１１１が、前後方向に沿って３つ、貫通して設けられている。３つの電源孔１１１１は、底板部１１１の前後方向における中央及び両端寄りの位置に、１つずつ設けられている。
【００２０】
前側と中央側の電源孔１１１１の各々には、この電源孔１１１１に通される電線を保護するためのブッシング１４が設けられている。ブッシング１４は、例えば樹脂材料により円筒状に形成され、電源孔１１１１の開口縁に設けられている。図２Ｂに示すように、ブッシング１４は、底板部１１１の第２面１１１Ｂ側（上側）へ突出する突出部１４１を有している。ブッシング１４の突出部１４１の端面（上面）は、立壁部１２１の上端縁とほぼ同一面上にある。
【００２１】
また、図１に示すように、底板部１１１には、吊りボルト２００を通すための引き込み孔１１１２が、前後方向における両端寄りの位置にそれぞれ１つずつ貫通して設けられている。各引き込み孔１１１２は、電源孔１１１１のうちの一つと隣接する位置に設けられている。具体的には、前側（図１の左側）の引き込み孔１１１２は、前側の電源孔１１１１と隣接する位置（前側の電源孔１１１１の後隣）に設けられている。また、後側（図１の右側）の引き込み孔１１１２は、後側の電源孔１１１１と隣接する位置（後側の電源孔１１１１の前隣）に設けられている。
【００２２】
底板部１１１において、各引き込み孔１１１２の左右両側の位置には、前後方向に長い一対の長孔１１１３が貫通して設けられている。長孔１１１３は、吊りボルト２００を用いて器具本体１を天井に設置する際の、器具本体１の歪みを逃がすために設けられている。すなわち、引き込み孔１１１２に吊りボルト２００を挿入し、吊りボルト２００にナット２０１をねじ込むと、ナット２０１と天井材１００とに挟まれて器具本体１が歪む可能性がある。これに対し、長孔１１１３が引き込み孔１１１２に隣接して設けられていることで、器具本体１において歪みが生じる範囲が、引き込み孔１１１２と長孔１１１３との間に制限される。これにより、光源ユニット２を器具本体１に取り付けた後に外部から見える傾斜部１２には、歪みが生じにくくなる。
【００２３】
底板部１１１には、さらに、前後方向における引き込み孔１１１２と電源孔１１１１との間（前側の引き込み孔１１１２と前側の電源孔１１１１との間）の位置に、一対の係合孔１１１４が左右方向に並んで設けられている。一対の係合孔１１１４は、ブッシング１４（突出部１４１）が設けられた電源孔１１１１と隣接する位置に、貫通して設けられている。
【００２４】
また、図１、図２Ｂに示すように、底板部１１１において、各引き込み孔１１１２よりも前後方向における中央側には、第２面１１１Ｂ側（上側）へ突出する突部１１１５が設けられている。すなわち、本実施形態の底板部１１１では、前後方向において、前側の電源孔１１１１（ブッシング１４）と突部１１１５との間の位置に、一対の係合孔１１１４が設けられている。突部１１１５は、底板部１１１の一部を上側へ凹ますことで形成されている。図２Ｂに示すように、突部１１１５の上端は、立壁部１２１の上端縁とほぼ同一面上にある。
【００２５】
また、底板部１１１において、中央の電源孔１１１１の前後方向の両側には、一対の第１の取付孔１１１６及び第２の取付孔１１１７が設けられている。第１の取付孔１１１６は左右方向に長く形成され、第２の取付孔１１１７は前後方向（第１の取付孔１１１６の長手方向と交差する方向）に長く形成されている。第１の取付孔１１１６及び第２の取付孔１１１７は、例えば、器具本体１を天井又は壁に設けられた埋込ボックスに取り付ける際に用いられる。
【００２６】
なお、底板部１１１には、木ねじを用いて器具本体１を天井又は壁に取り付ける際に用いられる孔１１１８や、板金を折り曲げ加工する際に、折り曲げ位置の精度を高めるための位置決め用の孔１１１９なども設けられている。
【００２７】
図１、図４に示すように、底板部１１１には、前後方向における中央よりも前側の位置に、端子台１３が取り付けられている。端子台１３には、例えば、天井材１００を通して室内側に露出され、電源孔１１１１を通された電源線４が電気的に接続される。端子台１３は、直方体状に形成された本体部１３１を有する。本体部１３１には、３本の電線（接続線）１３３（接地線１３３１、中性線１３３２、電圧線１３３３）が接続されている。これらの電線１３３の先端には、コネクタ１３２が接続されている。コネクタ１３２は、いわゆるレセプタクルコネクタであって、後述する光源ユニット２の電源装置２４のコネクタ２４３に接続されることで、端子台１３と電源装置２４とを電気的に接続する。
【００２８】
図３に示すように、コネクタ１３２はハウジング１３２１を備えている。ハウジング１３２１は、それぞれ矩形箱状に形成された３つの端子収納部１３２２を有している。端子収納部１３２２には、２つの電源端子及び接地端子が、個別に収納されている。２つの電源端子は、電圧線１３３３と中性線１３３２とにそれぞれ接続され、接地端子は、接地線１３３１に接続されている。各端子収納部１３２２は、先端に開口１３２０が形成されており、開口１３２０内に電源端子又は接地端子が配置されている。また、３つの端子収納部１３２２のうち、接地端子が収納された端子収納部１３２２には、操作力を受けて端子収納部１３２２に対して揺動するクリップ部１３２３が設けられている。
【００２９】
また、ハウジング１３２１には、ハウジング１３２１の一面から突出する一対の係合突部１３２４が設けられている。係合突部１３２４の先端部には、互いに離れる向き（外向き）に膨らんだ突部１３２５が設けられている。また、一対の係合突部１３２４の間隔は、器具本体１に設けられている一対の係合孔１１１４の間隔よりも、大きく設定されている。具体的には、一対の係合突部１３２４の外側面同士の間隔Ｌ１（図３参照）は、一対の係合孔１１１４の最も離れた部分同士の間隔Ｌ２（図１参照）よりも、大きく設定されている。図２Ａ、図２Ｂ、図２Ｃに示すように、一対の係合突部１３２４を、一対の係合孔１１１４に差し込むことで、コネクタ１３２を器具本体１に仮保持させることができる。
【００３０】
図４に示すように、器具本体１の前後方向における両端部には、エンドカバー３がそれぞれ取り付けられている。各エンドカバー３は、器具本体１の前後方向における断面形状と略同じ外形形状に形成され、器具本体１の前後方向における両端部の開口を閉塞するように取り付けられる。
【００３１】
図４に示すように、光源ユニット２は、ＬＥＤモジュール２２と、ＬＥＤモジュール２２が取り付けられる取付部材２１と、ＬＥＤモジュールを覆うようにして取付部材２１に取り付けられるカバー部材２３と、を備える。また光源ユニット２は、ＬＥＤモジュール２２に所定の点灯電力を供給する電源装置２４を備える。
【００３２】
取付部材２１は、前後方向に長い矩形板状に形成された底壁部２１１と、底壁部２１１の左右方向における両端から上向き（底壁部２１１と直交する方向）に延出する一対の側壁部２１２と、を有するＵ字状に形成されている。取付部材２１は、例えば、板金に曲げ加工を施すことで形成される。側壁部２１２の先端には、互いに離れる向き（外向き）に傾斜する傾斜部２１２１が全長に亘って設けられている。
【００３３】
ＬＥＤモジュール２２は、前後方向に長い矩形板状に形成された基板２２１を備える。基板２２１の下面には、複数のＬＥＤ（光源）２２２が前後方向に沿って実装されている。また、基板２２１の後端部（図４中の右端部）にはコネクタ２２３が実装されている。両端にコネクタが設けられた電線（図示せず）を、コネクタ２２３と、電源装置のコネクタ（図示せず）とにそれぞれ電気的に接続することで、ＬＥＤモジュール２２と電源装置２４とが電気的に接続される。
【００３４】
取付部材２１の底壁部２１１の後端部（図４中の右端部）には、ＬＥＤモジュール２２と電源装置２４とを電気的に接続する上記電線を通すための孔２１１１が設けられている。なお、上述したＬＥＤモジュール２２は、例えば取付部材２１の底壁部２１１の一部を下方に切り起こすことで形成された係止爪（図示せず）により、取付部材２１に固定される。
【００３５】
カバー部材２３は、光拡散性を有する材料（例えば乳白色のアクリル樹脂やポリカーボネート）から、前後方向に長くかつ上面（取付部材２１側の面）が開口する箱形に形成されている。カバー部材２３は、左右方向において両端側から中央側に行くほど下側への突出量が大きくなるような凸形状（半円筒形状）の透光部２３１を有している。また、カバー部材２３の左右方向における両端部には、上向き（取付部材２１側）に突出する突壁部２３２がそれぞれ全長に亘って設けられている。また、突壁部２３２の先端（上端）には、互いに近づく向き（内向き）に突出する突出部２３２１が設けられている。カバー部材２３の左右両側の突出部２３２１を、取付部材２１の傾斜部２１２１にそれぞれ引っ掛けることで、カバー部材２３が取付部材２１に取り付けられる。
【００３６】
電源装置２４は、前後方向に長尺な矩形板状に形成された回路基板２４１と、回路基板２４１を収納する収納ケース２４２とを有する。回路基板２４１には、ＬＥＤ２２２の点灯電力を生成するための回路部品（例えば、トランジスタ、ダイオード、コンデンサ）や、コネクタ２４３などが実装されている。
【００３７】
収納ケース２４２は、下面が開口し、かつ前後方向に長尺な矩形箱状に形成され、開口側が取付部材２１と対向するように、例えば、ねじなどによって、取付部材２１に取り付けられる。
【００３８】
上記のような光源ユニット２は、例えば、以下のような組立手順で組み立てられる。まず、取付部材２１の底壁部２１１の上面側に、電源装置２４が取り付けられる。次に、上記係止爪によって、ＬＥＤモジュール２２が取付部材２１の底壁部２１１の下面に固定される。また、上記の電線が、取付部材２１の底壁部２１１に設けた孔２１１１に通された後、その両端に設けられた上記コネクタが、ＬＥＤモジュール２２のコネクタ２２３と電源装置２４のコネクタとに接続される。最後に、開口側を上向きにした状態でカバー部材２３が取付部材２１に組み付けられる。このとき、カバー部材２３の各突壁部２３２に設けた突出部２３２１が、取付部材２１の各側壁部２１２に設けた傾斜部２１２１と係合し、カバー部材２３が取付部材２１に取り付けられる。
【００３９】
次に、照明器具の天井材１００への施工手順について、説明する。
【００４０】
工場などからの出荷時、器具本体１は、端子台１３の本体部１３１が器具本体１の底板部１１１に取り付けられ、一対の係合突部１３２４が一対の係合孔１１１４に挿入されてコネクタ１３２が器具本体１に仮保持された状態で、段ボール箱などで梱包されている。そこで作業者は、まず、梱包を解いて器具本体１を取り出す。
【００４１】
続いて、作業者は、天井材１００から室内側に露出する電源線４を、器具本体１に設けられた電源孔１１１１のいずれか一つ（図４の例では、中央の電源孔１１１１）に通す。また、作業者は、器具本体１を上方に持ち上げ、天井材１００を通して室内側に露出する２つの吊りボルト２００を、それぞれ引き込み孔１１１２に通す。そして作業者は、作業者は、吊りボルト２００にナット２０１をねじ込んで、器具本体１を天井材１００に固定する。
【００４２】
次に作業者は、電源線４を端子台１３に接続する。そして、作業者は、一対の係合突部１３２４を一対の係合孔１１１４から引き抜いてコネクタ１３２を器具本体１から取り外し、外したコネクタ１３２を電源装置２４のコネクタ２４３に接続する。最後に、作業者は、器具本体１および光源ユニット２にそれぞれ設けられた周知の嵌合構造（図示せず）によって、光源ユニット２を器具本体１に取り付ける。このとき、光源ユニット２の少なくとも一部（電源装置２４、カバー部材２３の突壁部２３２など）が、器具本体１の収容凹部１１内に収容される。以上のような手順によって、照明器具が天井に施工される（図５参照）。
【００４３】
上述のように、本実施形態の照明器具では、器具本体１の底板部１１１に一対の係合孔１１１４が設けられ、コネクタ１３２のハウジング１３２１に、一対の係合突部１３２４が設けられている。これにより、器具本体１の搬送時や、器具本体１の天井材１００などへの取り付け時などに、コネクタ１３２を器具本体１に仮保持させることができる。このため、器具本体１の搬送時などにコネクタ１３２が器具本体１に対して動く可能性が低く、また、器具本体１の取り付け時にもコネクタ１３２や電線１３３が邪魔になりにくい。
【００４４】
ここで、図２Ｂに示すように、コネクタ１３２を器具本体１に仮保持させた状態では、係合突部１３２４は、底板部１１１の第２面１１１Ｂ側へ突出している。このため、係合突部１３２４が、例えば段ボール箱などの側面によって第２面１１１Ｂ側から押されると、係合突部１３２４が係合孔１１１４から抜けて、コネクタ１３２が器具本体１から外れてしまう可能性がある。これに対し本実施形態の器具本体１では、係合孔１１１４が、器具本体１の底板部１１１において、突出部１４１（ブッシング１４）が設けられた電源孔１１１１と隣接する位置に、設けられている。これにより、係合突部１３２４が意図せずに第２面１１１Ｂ側から押される可能性が低くなり、仮保持されたコネクタ１３２が器具本体１から意図せずに外れてしまう可能性を低くすることができる。
【００４５】
また、本実施形態の照明器具では、電源孔１１１１に取り付けられたブッシング１４の一部が、第２面１１１Ｂ側へ突出する突出部１４１として機能する。このため、例えば、係合突部１３２４の抜け落ち防止専用の突部を、係合孔１１１４に隣接する位置に設ける場合に比べて、製造工程を削減することができる。
【００４６】
また、本実施形態の照明器具では、一対の係合突部１３２４の間隔を、一対の係合孔１１１４の間隔よりも大きく設定している。これにより、係合突部１３２４が係合孔１１１４から外れにくくなり、コネクタ１３２が器具本体１から抜け落ちにくくなる。
【００４７】
なお、図１の例では、電源孔１１１１の開口縁にブッシング１４（突出部１４１）を設け、電源孔１１１１と隣接する位置に係合孔１１１４を設けている。ただし、図６に示す変形例のように、吊りボルト２００を通すための引き込み孔１１１２の開口縁にブッシング１４（突出部１４１）を設け、引き込み孔１１１２と隣接する位置に係合孔１１１４を設けてもよい。
【００４８】
また、引き込み孔１１１２と長孔１１１３との組（前側の引き込み孔１１１２と長孔１１１３との組）を、一対の係合孔１１１４に流用してもよい。すなわち、一対の係合突部１３２４を、引き込み孔１１１２と長孔１１１３とにそれぞれ差し込むことで、器具本体１にコネクタ１３２を仮保持させてもよい。この場合であっても、ブッシング１４（突出部１４１）が、引き込み孔１１１２と長孔１１１３との組と隣接する位置に設けられているので、コネクタ１３２が器具本体１から意図せずに外れてしまう可能性を低くできる。また、この場合には、仮保持用に係合孔１１１４を新たに設ける必要がない。なお、この場合、コネクタ１３２に設けられる一対の係合突部１３２４の間隔は、引き込み孔１１１２と長孔１１１３との間隔（円形の引き込み孔１１１２と長孔１１１３との最短距離）よりも、僅かに小さく設定されていることが好ましい。
【００４９】
また、係合突部１３２４と係合孔１１１４とは、一つずつでもよい。この場合、係合突部１３２４の径が、係合孔１１１４の径よりも僅かに大きく設定されていることが好ましい。
【００５０】
以上説明したように、本実施形態の照明器具は、光源ユニット２と、器具本体１と、端子台１３と、コネクタ１３２と、を備える。光源ユニット２は、電源装置２４、及び電源装置２４からの電力により点灯される光源（ＬＥＤ２２２）を備える。器具本体１は、第１面１１１Ａと第２面１１１Ｂとを有する板状の底板部１１１を備える。器具本体１は、底板部１１１の第１面１１１Ａを底面とする収容凹部１１を有する。器具本体１は、光源ユニット２の少なくとも一部を収容凹部１１に収容した状態で光源ユニット２を保持する。端子台１３は、底板部１１１の第１面１１１Ａに取り付けられており、外部からの電源線４が電気的に接続される。コネクタ１３２は、端子台１３から延びる電線１３３の先端に設けられており、電源装置２４に電気的に接続される。底板部１１１には、外部からの吊りボルト２００を通すための引き込み孔１１１２と、電源線４を通すための電源孔１１１１と、が貫通して設けられている。底板部１１１には、引き込み孔１１１２と電源孔１１１１とのうちの少なくとも一方の開口縁に、第２面１１１Ｂ側へ突出する突出部１４１が設けられている。底板部１１１には、突出部１４１と隣接する位置に係合孔１１１４が貫通して設けられている。コネクタ１３２には、係合孔１１１４に挿入されてコネクタ１３２を器具本体１に仮保持させる係合突部１３２４が設けられている。
【００５１】
この構成によれば、コネクタ１３２を器具本体１に仮保持させることができ、仮保持されたコネクタ１３２が器具本体１から意図せずに外れてしまう可能性を低くすることができる。
【００５２】
本実施形態の照明器具のように、好ましくは、突出部１４１は、電源孔１１１１の開口縁の周りに設けられたブッシング１４から構成される。係合孔１１１４は、電源孔１１１１に隣接して設けられている。
【００５３】
この構成によれば、別途係合突部１３２４の抜け落ち防止用の突部を設ける必要がなく、製造工程を簡略化することができる。
【００５４】
本実施形態の照明器具のように、好ましくは、コネクタ１３２は、係合突部１３２４として一対の係合突部１３２４を有する。底板部１１１は、長尺状に形成されている。引き込み孔１１１２と電源孔１１１１とは、底板部１１１の長手方向に並んで設けられている。底板部１１１において、引き込み孔１１１２に対して底板部１１１の短手方向の少なくとも一方側には、底板部１１１の長手方向に長い長孔１１１３が形成されている。コネクタ１３２は、一対の係合突部１３２４それぞれが引き込み孔１１１２と長孔１１１３とに挿入されて器具本体１に仮保持される。
【００５５】
この構成によれば、別途係合突部１３２４を仮保持するための係合孔１１１４を設ける必要がなく、製造工程を簡略化することができる。
【００５６】
本実施形態の照明器具のように、好ましくは、コネクタ１３２は、係合突部１３２４として一対の係合突部１３２４を有する。底板部１１１は、係合孔１１１４として一対の係合孔１１１４を有する。一対の係合突部１３２４の間隔は、一対の係合孔１１１４の間隔よりも大きい。
【００５７】
この構成によれば、仮保持されたコネクタ１３２が、器具本体１から意図せずに外れてしまう可能性をさらに低くすることができる。
【符号の説明】
【００５８】
１    器具本体
１１    収容凹部
１１１    底板部
１１１Ａ    第１面
１１１Ｂ    第２面
１１１１    電源孔
１１１２    引き込み孔
１１１４    係合孔
１３    端子台
１３２    コネクタ
１３２４    係合突部
１３３    電線（接続線）
１４    ブッシング
１４１    突出部
２    光源ユニット
２２２  光源（ＬＥＤ）
２４    電源装置
２００    吊りボルト
４    電源線
【図１】
0006731636.tif 000002
【図２】
0006731636.tif 000003
【図３】
0006731636.tif 000004
【図４】
0006731636.tif 000005
【図５】
0006731636.tif 000006
【図６】
0006731636.tif 000007